(57)【要約】【課題】操作の内容や装置の状態等についてわかりやすくかつ聞き取りやすい音声案内を行うことができる画像処理装置等を提供する。【解決手段】音声入力手段３１と、音声入力手段により入力された複数のユーザの案内用音声を音声データとして記憶する記憶手段２３Ｈと、音声案内に際して、前記記憶手段２３Ｈに記憶された案内用音声データの中から、ログインしたユーザに対応する音声データを選択する選択手段２０と、前記選択された案内用音声データに対応する音声を出力する音声出力手段３４を備えている。【選択図】図１９
2009194577.tif 000002
【特許請求の範囲】
【請求項１】
音声入力手段と、
前記音声入力手段により入力された複数のユーザの案内用音声を音声データとして記憶する記憶手段と、
音声案内に際して、前記記憶手段に記憶された案内用音声データの中から、ログインしたユーザに対応する音声データを選択する選択手段と、
前記選択された案内用音声データに対応する音声を出力する音声出力手段と、
を備えたことを特徴とする画像処理装置。
【請求項２】
前記音声出力手段から出力される音声は、案内対象の機能をユーザが指示したときに入力された音声である請求項１に記載の画像処理装置。
【請求項３】
前記音声出力手段から出力される音声は、ユーザ登録時に入力された音声である請求項１に記載の画像処理装置。
【請求項４】
前記音声案内が、記憶手段に生成された複数の記憶領域の中から所望の記憶領域を選択するときに行われ、前記音声出力手段から出力される音声は、選択された記憶領域を識別する内容のものである請求項１に記載の画像処理装置。
【請求項５】
前記音声出力手段から出力される音声は、前記記憶領域の生成時またはユーザ登録時に入力された音声である請求項４に記載の画像処理装置。
【請求項６】
前記音声案内が、記憶手段に記憶されたファイルの中からファイルを選択するときに行われ、前記音声出力手段から出力される音声は、そのファイルについてのジョブ内容を説明する内容のものである請求項１に記載の画像処理装置。
【請求項７】
前記音声出力手段から出力される音声は、前記ファイルの作成時またはユーザ登録時に入力された音声である請求項６に記載の画像処理装置。
【請求項８】
前記音声出力手段から出力される音声は、案内対象の機能をユーザが指示したときに入力された音声から一部を切り出したものである請求項１に記載の画像処理装置。
【請求項９】
音声入力手段により入力された複数のユーザの案内用音声を音声データとして記憶手段に記憶するステップと、
音声案内に際して、前記記憶手段に記憶された音声データの中から、ログインしたユーザに対応する音声データを選択するステップと、
前記選択された案内用音声データに対応する音声を出力するステップと、
を備えたことを特徴とする画像処理装置における音声案内方法。
【請求項１０】
音声入力手段により入力された複数のユーザの案内用音声を音声データとして記憶手段に記憶するステップと、
音声案内に際して、前記記憶手段に記憶された案内用音声データの中から、ログインしたユーザに対応する音声データを選択するステップと、
前記選択された案内用音声データに対応する音声を出力するステップと、
を画像処理装置のコンピュータに実行させるための音声案内プログラム。
【発明の詳細な説明】
【技術分野】
【０００１】
この発明は、操作の内容や装置の状態等を音声により案内することが可能な画像処理装置、音声案内方法並びに音声案内プログラムに関する。
【背景技術】
【０００２】
操作の内容や装置の状態等を音声により案内することが可能な画像処理装置が、従来より知られている。
【０００３】
例えば、特許文献１には、健常者のみならず視力機能が低下している視覚障害者等であっても所定の印刷設定画面を介して迅速かつ容易に印刷設定を行うことを可能とすることを目的として、操作手段により設定可能な複数の印刷設定項目を含む印刷設定画面を表示手段に出力させる一方、ユーザにより複数の印刷設定項目の中の少なくとも１つが選択された場合に、当該選択された印刷設定項目に関する情報を音声出力手段に出力させる制御手段とを備えた構成の画像処理装置が提案されている。この画像処理装置では、印刷条件を設定するための印刷設定画面において、所望の印刷設定項目に関する情報を音声により確認可能となる。
【０００４】
また、特許文献２にも、機器の操作結果を音声で通知することができる画像処理装置が提案されている。
【特許文献１】特開２００６−３３８５８９号公報
【特許文献２】特開２００３−１４０８８０号公報
【発明の開示】
【発明が解決しようとする課題】
【０００５】
ところが、音声案内が可能な従来の画像処理装置では、装置から出力される音声がユーザによらず一律の音声であったため、ユーザによっては聞き取りにくいとか、識別しにくいとかいう場面がしばしばあった。このような問題は、目の不自由なユーザのみならず健常者であっても起こりうる問題であり、このため使い易さの面から改善が望まれている。
【０００６】
本発明は、上記事情に鑑みてなされたものであり、操作の内容や装置の状態等についてわかりやすくかつ聞き取りやすい音声案内を行うことができる画像処理装置、音声案内方法並びに音声案内プログラムを提供することを課題とする。
【課題を解決するための手段】
【０００７】
上記課題は、以下の手段によって解決される。
（１）音声入力手段と、前記音声入力手段により入力された複数のユーザの案内用音声を音声データとして記憶する記憶手段と、音声案内に際して、前記記憶手段に記憶された案内用音声データの中から、ログインしたユーザに対応する音声データを選択する選択手段と、前記選択された案内用音声データに対応する音声を出力する音声出力手段と、を備えたことを特徴とする画像処理装置。
（２）前記音声出力手段から出力される音声は、案内対象の機能をユーザが指示したときに入力された音声である前項１に記載の画像処理装置。
（３）前記音声出力手段から出力される音声は、ユーザ登録時に入力された音声である前項１に記載の画像処理装置。
（４）前記音声案内が、記憶手段に生成された複数の記憶領域の中から所望の記憶領域を選択するときに行われ、前記音声出力手段から出力される音声は、選択された記憶領域を識別する内容のものである前項１に記載の画像処理装置。
（５）前記音声出力手段から出力される音声は、前記記憶領域の生成時またはユーザ登録時に入力された音声である前項４に記載の画像処理装置。
（６）前記音声案内が、記憶手段に記憶されたファイルの中から所望のファイルを選択するときに行われ、前記音声出力手段から出力される音声は、そのファイルについてのジョブ内容を説明する内容のものである前項１に記載の画像処理装置。
（７）前記音声出力手段から出力される音声は、前記ファイルの作成時またはユーザ登録時に入力された音声である前項６に記載の画像処理装置。
（８）前記音声出力手段から出力される音声は、案内対象の機能をユーザが指示したときに入力された音声から一部を切り出したものである前項１に記載の画像処理装置。
（９）音声入力手段により入力された複数のユーザの案内用音声を音声データとして記憶手段に記憶するステップと、音声案内に際して、前記記憶手段に記憶された音声データの中から、ログインしたユーザに対応する音声データを選択するステップと、前記選択された案内用音声データに対応する音声を出力するステップと、を備えたことを特徴とする画像処理装置における音声案内方法。
（１０）音声入力手段により入力された複数のユーザの案内用音声を音声データとして記憶手段に記憶するステップと、音声案内に際して、前記記憶手段に記憶された案内用音声データの中から、ログインしたユーザに対応する音声データを選択するステップと、前記選択された案内用音声データに対応する音声を出力するステップと、を画像処理装置のコンピュータに実行させるための音声案内プログラム。
【発明の効果】
【０００８】
前項（１）に記載の発明によれば、音声入力手段により入力された複数のユーザの案内用音声が音声データとして記憶手段に記憶され、音声案内に際して、前記記憶手段に記憶された案内用音声データの中から、ログインしたユーザに対応する音声データが選択され、選択された案内用音声データに対応する音声が音声出力手段から出力される。つまり、ログインしたユーザにより入力された音声で案内が行われるから、ユーザにとってわかりやすくかつ聞き取りやすい音声案内を行うことが可能となる。
【０００９】
前項（２）に記載の発明によれば、案内対象の機能をユーザが指示したときに入力された音声により、案内が行われる。
【００１０】
前項（３）に記載の発明によれば、ユーザ登録時に入力された音声により、案内が行われる。
【００１１】
前項（４）に記載の発明によれば、記憶手段に生成された複数の記憶領域の中から記憶領域を選択するときに、選択された記憶領域を識別する内容の音声案内が行われる。
【００１２】
前項（５）に記載の発明によれば、記憶手段に生成された複数の記憶領域の中から記憶領域を選択するときに、記憶領域の生成時またはユーザ登録時に入力された音声により案内が行われる。
【００１３】
前項（６）に記載の発明によれば、記憶手段に記憶されたファイルの中から所望のファイルを選択するときに、そのファイルについてのジョブ内容を説明する内容の音声案内が行われる。
【００１４】
前項（７）に記載の発明によれば、記憶手段に記憶されたファイルの中からファイルを選択するときに、前記ファイルの作成時またはユーザ登録時に入力された音声により案内が行われる。
【００１５】
前項（８）に記載の発明によれば、案内対象の機能をユーザが指示したときに入力された音声から切り出された部分により、案内が行われる。
【００１６】
前項（９）に記載の発明によれば、ログインしたユーザにより入力された音声で案内が行われるから、ユーザにとってわかりやすくかつ聞き取りやすい音声案内を行うことが可能となる。
【００１７】
前項（１０）に記載の発明によれば、ログインしたユーザにより入力された音声で案内を行う処理を、画像処理装置のコンピュータに実行させることができる。
【発明を実施するための最良の形態】
【００１８】
以下、本発明の一実施形態を図面を参照しながら説明する。
【００１９】
図１は、本発明に係る画像処理装置が用いられたファイル共用システムの全体図を示した図である。
【００２０】
図１に示すように、ファイル共用システムは、画像処理装置としての画像形成装置１、パーソナルコンピュータからなる１台または複数台のクライアント端末２〜４、１台または複数台のFAX端末５及び６、通信回線７等によって構成されている。
画像形成装置１やクライアント端末２〜４には、それぞれを識別するために「ＰＣ００１」、「ＰＣ００２」、・・・というようなコンピュータ名が識別情報として割り当てられている。このようなコンピュータ名の代わりに、ＩＰアドレスを識別情報として用いても良い。また、各ＦＡＸ端末５、６には、いわゆる固定電話またはＩＰ電話などの電話番号が割り当てられている。
【００２１】
画像形成装置１と各クライアント端末２〜４及び各ＦＡＸ端末５、６とは、通信回線７を介して互いに接続可能である。通信回線７としては、LAN、インターネット、専用回線又は公衆回線等が用いられる。通信規約または通信規格として、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）、ＦＴＰ（Ｆｉｌｅ  Ｔｒａｎｓｆｅｒ  Ｐｒｏｔｏｃｏｌ）、ＰＯＰ３（Ｐｏｓｔ  Ｏｆｆｉｃｅ  Ｐｒｏｔｏｃｏｌ  ｖｅｒｓｉｏｎ  ３）、ＳＭＴＰ（Ｓｉｍｐｌｅ  Ｍａｉｌ  Ｔｒａｎｓｆｅｒ  Ｐｒｏｔｏｃｏｌ）、ＩＰＰ（Ｉｎｔｅｒｎｅｔ  Ｐｒｉｎｔｉｎｇ  Ｐｒｏｔｏｃｏｌ）、有線ＬＡＮの規格であるＩＥＥＥ８０２．３、無線ＬＡＮの規格であるＩＥＥＥ８０２．１１、ＦＡＸのＧ３（Ｇｒｏｕｐ  ３）規格、またはＧ４（Ｇｒｏｕｐ  ４）規格などが用いられる。
【００２２】
このファイル共用システムによると、ユーザは、画像形成装置１のハードディスクに記憶されているデータを、画像形成装置１及びクライアント端末２〜４で共用することができる。クライアント端末２〜４として、パーソナルコンピュータの代わりに、ワークステーション、ＰＤＡ（Ｐｅｒｓｏｎａｌ  Ｄｉｇｉｔａｌ  Ａｓｓｉｓｔａｎｔ）、または携帯電話端末などを用いることもできる。
【００２３】
図２は画像形成装置１の外観を示す斜視図、図３は画像形成装置１のハードウェア構成を示すブロック図である。
【００２４】
画像形成装置１は、MFP（Multi Function Peripherals）からなり、コピー、ネットワークプリンティング、スキャナ、FAX及びドキュメントサーバ等の各機能を集約した多機能デジタル複合機である。
【００２５】
図２及び図３に示すように、画像形成装置１は、操作１１、ディスプレイ１２、スキャナ部１３、プリンタ部１４、通信部１６、ドキュメントフィーダ１７、給紙部１８、排紙トレイ１９、データ記憶部２３、CPU２０、RAM２１、ROM２２、音声入力部３１、音声情報特徴抽出部３２、音声情報合成部３３、音声出力部３４等を備えている。
【００２６】
操作部１１は、数字、文字及び記号などを入力するための複数のキー、押下されたキーを認識するセンサ及び認識したキーを示す信号をCPU２０に送信する送信用回路等によって構成されている。
【００２７】
また、操作部１１には、音声入力部３１としてのマイク、音声出力部３４としてのスピーカが搭載されている。
【００２８】
ディスプレイ１２は、ユーザに対してメッセージまたは指示を与えるための画面、ユーザが設定内容及び処理内容を入力するための画面、及び画像形成装置１で形成された画像及び処理の結果を示す画面などを表示する。本実施形態では、ディスプレイ１２としてタッチパネルが用いられており、ユーザが指で触れると、タッチパネル上の位置が検知され、検知結果を示す信号がCPU２０に送信される。
【００２９】
このように、操作部11及びディスプレイ１２は、ユーザが画像形成装置１を直接操作するためのユーザインターフェースの役割を果たしている。
【００３０】
なお、クライアント端末２〜４には、画像形成装置１に指示を与えるためのアプリケーションプログラム及びプリンタドライバがインストールされているため、ユーザはクライアント端末２〜４を使用して画像形成装置１を遠隔的に操作することもできる。
【００３１】
スキャナ部１３は、原稿に描かれている写真、文字、絵、図表などの画像を光電的に読み取って、デジタルの画像データ（この実施形態では、RGBまたはブラックの濃度を表す濃度データ）を生成する。このようにして得られた画像データは、プリンタ部１４において印刷のために用いられる。またはＴＩＦＦ（Ｔａｇｇｅｄ  Ｉｍａｇｅ  Ｆｉｌｅ  Ｆｏｒｍａｔ）やＰＤＦ（Ｐｏｒｔａｂｌｅ  Ｄｏｃｕｍｅｎｔ  Ｆｏｒｍａｔ）などのフォーマットのファイルに変換されてデータ記憶部２３に記憶され、またはクライアント端末２〜４に送信される。または、ＦＡＸデータに変換されてＦＡＸ端末５、６に送信される。
【００３２】
プリンタ部１４は、スキャナ部１３によって読み取られた画像、クライアント端末２〜４から送信されてきた画像データの画像、またはＦＡＸ端末５、６から送信されてきたＦＡＸデータの画像を、用紙またはフィルムなどの記録シートに印刷する。
【００３３】
通信部１６は、送信部１６２及び受信部１６１等を備え、クライアント端末２〜４及びFAX端末装置５、６とデータのやり取りを行う。なお、通信インターフェースとして、NIC（Network Interface Card）、モデム、またはTA(Terminal Adapter)等が用いられる。
【００３４】
ドキュメントフィーダ１７は、画像形成装置１の本体の上部に設けられており、１枚または複数枚の原稿をスキャナ部１３に順次送るために用いられる。
【００３５】
給紙部１８は、画像形成装置１本体の下部に設けられており、印刷対象の画像に適した記録シートをプリンタ部１４に供給するために用いられる。プリンタ部１４によって画像が印刷された記録シート即ち印刷物は、排紙トレイ１９に排出される。また、プリンタ部１４には用紙の両面を印字する両面印字機構も内蔵されている。
【００３６】
データ記憶部２３は、ハードディスク２３Hやカードリードライタ２３R等を備えている。カードリードライタ２３Rは、コンパクトフラッシュ（登録商標）またはスマートメディアなどのメモリカード９１からデータを読み取り、またはメモリカード９１にデータを書き込む。メモリカード９１は、主に、クライアント端末２〜４とのデータのやり取りを通信回線７を介さずに行うため、またはデータのバックアップのために用いられる。
【００３７】
ハードディスク２３Hには、図４に示すように、データをファイルとして保存しておくための記憶領域であるパーソナルボックス４１〜４３が、ユーザ毎に割り当てられている。
【００３８】
パーソナルボックス４１〜４３は、パーソナルコンピュータまたはワークステーションなどにおける「ディレクトリ」または「フォルダ」に相当するものである。以下では、このパーソナルボックスを単に、ボックス（ＢＯＸ）ともいう。
【００３９】
ボックス４１〜４３には、他のボックスと識別するためのボックス名が対応付けられている。この実施形態では、ボックス名として、任意の３ケタの数字（例えば００１、００２、００３）が用いられている。ユーザは、ファイルを、クライアント端末２〜４からファイル転送することによってボックスに保存させることができる。また、そのファイルが保存されているメモリカード９１をカードリードライタ２３Ｒのスロットにセットしてファイルコピーすることによって、ボックスに保存させることができる。その他、次のような場合にも、ファイルをボックスに保存させることができる。
【００４０】
例えば、ドキュメントフィーダ１７にセットされた原稿をコピーすべき旨の指令がユーザによってなされた場合に、画像形成装置１は、その原稿から読み取った画像の画像データをファイルに変換し、そのユーザのボックスに保存する。または、ドキュメントフィーダ１７にセットされた原稿の画像データをクライアント端末２〜４に送信すべき旨の指令がなされた場合も同様に、読み取った画像の画像データをファイルに変換し、そのユーザのボックスに保存する。ユーザのクライアント端末２〜４からドキュメントを印刷（ネットワークプリンティング）すべき指令がなされた場合は、クライアント端末２〜４から送信されてきたそのドキュメントの画像データをファイルとしてそのユーザのボックス４１〜４３に保存する。FAX端末５，６からＦＡＸデータが送信されてきた場合は、そのＦＡＸデータをファイルとして受信者であるユーザのボックス４１〜４３に保存する。ドキュメントフィーダ１７にセットされた原稿の画像をFAX端末５、６に送信すべき旨の指令がなされた場合は、読み取ったその画像の画像データをファイルに変換し、そのユーザのボックス４１〜４３に保存する。
【００４１】
ボックス４１〜４３に保存されるファイル５１〜５９を含むボックスデータベースは、ハードディスク２３Ｈに記憶され、図５に示すように、「ＢＯＸ名」、「ＢＯＸ作成者」、「ＢＯＸ作成時音声データ」、「ファイル名」、「ファイル作成者」、「ファイル作成時音声データ」から構成されている。「ＢＯＸ名」は、前述のＢＯＸ識別情報、「ＢＯＸ作成者」はＢＯＸを作成したユーザ、「ＢＯＸ作成時音声データ」はＢＯＸ作成時にユーザが音声でＢＯＸを識別するために入力した音声データである。例えば００１のボックスについては、ＢＯＸ作成時音声データとして、「プロジェクトＡに関するＢＯＸです」という音声データが入力されている。
【００４２】
「ファイル名」は、ファイルを同じボックスに保存されている他のファイルと識別するための識別情報である。従って、同じファイル名の複数のファイルを同じボックスに保存することはできないが、それぞれ別々のボックスに保存することはもちろん可能である。「ファイル作成者」は、そのファイルを作成したユーザ、「ファイル作成時音声データ」はファイル作成時に音声によりユーザが音声指示により機能選択をした内容である。
【００４３】
さらに、ハードディスク２３Hには、ユーザ情報データベースＤＢ１（図８に示す）が記憶されている。
【００４４】
ユーザ情報データベースＤＢ１には、図６に示すように画像形成装置１を利用するユーザに関する情報が格納されている。
【００４５】
図６において、「ユーザ名」は、各ユーザを識別するための識別情報である。ユーザ名は、ユーザが画像形成装置１にログインするときなどに用いられる。
【００４６】
「パスワード」は、ユーザがログインするときのユーザ認証用（ユーザ確認用）の情報である。
【００４７】
「音声データ選択モード」は、音声案内を行うときに、ユーザ登録時に登録した音声データを使用するか、ジョブ登録時に入力した音声データを使用するかを選択するものであり、ユーザの好みに応じて選択可能である。もしこれをジョブ登録時とした場合は、前述のボックスデータベース（図５）に保存されている「ＢＯＸ作成時音声データ」、「ファイル作成時音声データ」が有効となる。一方、これをユーザ登録時とした場合には、後述する「ＢＯＸ選択音声データ」、［ファイル選択音声データ］に登録された内容が有効となる。
【００４８】
「機能指示データ切り出しモード選択」は、ユーザが音声により機能指示を行っていた場合であって、「音声データ選択モード」が「ジョブ登録時」に設定されている場合に、機能指示を行ったときに入力された全ての音声を出力するか、一部を切り出して音声出力するかを設定するためのものである。
【００４９】
「ユーザ登録音声データ」は、ユーザが登録した好みの音声データである。
【００５０】
「ＢＯＸ選択音声データ」はＢＯＸの選択時にＢＯＸ作成者のユーザ毎にいつも決まった音声出力を行うためのデータである。「ファイル選択音声データ」はＢＯＸ内のファイル選択時にファイル作成者のユーザ毎にいつも決まった音声出力を行うためのデータであり、これら２つのデータは「音声データ選択モード」がユーザ登録時に設定されている時に有効となる。
【００５１】
CPU２０は、ROM２２等の記録媒体に保存されているプログラムを実行することにより、画像形成装置１の全体を統括的に制御する。
【００５２】
RAM２１は、CPU２０が処理を実行する際の作業領域となるものである。この実施形態では、アクティブジョブDB２やプログラム２１１やデータ２１２等が一時的に保存される。
【００５３】
この実施形態では、クライアント端末２〜４又はFAX端末５、６から送信されてきたデータ、クライアント端末２〜４又はFAX端末５、６に送信するためのデータ、及びスキャナ部１３によって生成されたデータ等を一時的に保存する。なお、RAM２１として、不揮発性のRAMを用いても良い。
【００５４】
また、RAM２１に記憶されているアクティブジョブデータベースＤＢ２には、図７に示すように実行待ちの処理（ジョブ）に関する情報が格納されている。即ち、アクティブデータベースＤＢ２は、キュー（待ち行列）を示す情報であると言える。なお、原則として上の行のジョブから順に実行されていく。
【００５５】
図７において、「ファイル名」は、そのジョブを特定するためのファイル名を示している。「ファイル作成者」は、そのファイルを作成したユーザ名を示している。「ジョブ種別」は、そのジョブのアプリケーションの種別を表している。「ジョブ状態」は、そのジョブの現在の状態を表している。順番が回ってくればすぐに処理を実行してもよいジョブのジョブ状態には「〜待ち」という値が格納されている。
【００５６】
ROM２２は、画像の読み取り（スキャン）、原稿の複写（コピー）、ＦＡＸデータの送受信、ネットワークプリンティング、及びドキュメントサーバ（ボックス機能）などの画像形成装置１の基本機能を実現するためのプログラムやデータが記憶されている。
【００５７】
また、ROM２２には、画像形成装置１の機能的構成を示す図８のジョブ生成部１０１、ジョブ実行制御部１０２、ユーザ情報制御部１０３、ファイル保存処理部１０４等の各機能を実現するためのプログラムやデータが記憶されている。これらのプログラムやデータの一部又は全部を、データ記憶部２３にインストールしておいてもよい。この場合は、データ記憶部２３にインストールされているプログラムまたはデータは、必要に応じてＲＡＭ２１にロードされる。または、これらの機能の一部または全部がプロセッサ（回路）によって実現されても良い。
【００５８】
前記音声情報特徴抽出部３２は、ユーザの音声データを登録する場合に、入力された音声の音響的特長（音質）と韻律的特長（音の長さ、高さ、強さ）を抽出するものである。
【００５９】
前記音声情報合成部３３は、前記抽出されたユーザの音声の音響的特長と韻律的特長を、他のユーザの音声データに合成するものである。
【００６０】
図８において、ジョブ生成部１０１は、スキャナ部１３のスキャン処理によって得られた画像データ、クライアント端末２〜４から送信されてきた印刷データ、またはFAX端末５，６から送信されてきたFAXデータをファイル化し、ファイルを生成する処理を行う。ファイル保存処理部１０４は、生成されたファイルを所定のボックス５に保存する処理を行う。
【００６１】
ジョブ実行制御部１０２は、アクティブジョブデータベースDB2のキューに従ってジョブが実行されるように、画像形成装置1の各部の制御を行う。ユーザ制御部１０３は、画像形成装置1に所定の処理を実行させようとしているユーザのユーザ認証を行うと共に、ユーザ情報のユーザ情報データベースへの登録、及びユーザ情報に基づく音声入出力制御を行う。
【００６２】
ジョブ生成部１０１の機能および処理内容を、フローチャートやディスプレイ１２に表示される画面などを参照しながらさらに詳しく説明する。
【００６３】
なお、各フローチャートの処理を実現するためのプログラムは、ＲＯＭ２２またはデータ記憶部２３のハードディスク２３Ｈなどに記憶されており、そのプログラムに従ってＣＰＵ２０が画像形成装置１の各部を制御することによって、フローチャートの各動作が実行される。
【００６４】
図９は画像形成装置１の全体的な処理の流れを説明するためのフローチャート、図１０は初期メニュー画面HG１の例を示す図である。
【００６５】
画像形成装置1のディスプレイ１２には、誰も画像形成装置１を直接操作していないときは、図１０に示すような初期メニュー画面ＨＧ１が表示されている（図９のステップＳ1）。これから画像形成装置1に処理を実行させようとしているユーザは、ログイン後、初期メニュー画面ＨＧ１の中から所望する処理を対応するボタンを押下して選択する。
【００６６】
ステップＳ２では、保存ボタンが押されたかどうかが判断される。押された場合は（ステップＳ２でＹＥＳ）、ステップＳ３に進み、ボックス保存時のユーザ入力処理を実行し、次いでステップＳ４で、モード設定時のユーザ入力音声入力処理を実行する。なお、ボックス保存ユーザ入力処理及びモード設定ユーザ入力音声入力処理については後述する。
【００６７】
次いで、ステップＳ５で、ファイルの生成、保存処理を行った後、ステップＳ６に進んで画像入出力処理を実行し、ステップＳ２に戻る。
【００６８】
ステップＳ２において、保存ボタンが押されなかった場合は（ステップＳ２でＮＯ）、ステップＳ１０で、読み出しボタンが押されたかどうかが判断される。押された場合には（ステップＳ１０でＹＥＳ）、ステップＳ１１でボックス読み出し時の音声出力処理を実行し、次いでステップＳ１２でファイルを読み出したのち、ステップＳ６に進む。なお、ボックス読み出し時の音声出力処理については後述する。
【００６９】
ステップＳ１０において、読み出しボタンが押されなかった場合、換言すれば「コピー」ボタン、「スキャナ」ボタン、または「FAX送信」ボタンのみが選択された場合は（ステップＳ１０でＮＯ）、ステップＳ２０でその他のボタン処理を実行した後、ステップＳ６に進む。
【００７０】
その他のボタン処理の具体例としては、そのボタンに対応する処理の条件を指定するための画面（以下、「処理条件指定画面」と記載する）を表示し、かかる条件を入力するようにユーザに対して促す。そして、条件が入力されたら、ジョブ生成部１０１は、その条件に基づいて初期メニュー画面ＨＧ１で選択された処理を行うジョブを生成し、これをアクティブジョブデータベースＤＢ２（図７、図８参照）に登録する。ジョブ実行制御部１０２は、順番が来たらそのジョブが実行されるように各部を制御する（ステップＳ６）。
【００７１】
例えば、「コピー」ボタンが選択されたときは、用紙、カラーモード、節約モード（片面／両面、倍率、集約コピー）、」応用モード（小冊子、ナンバリング）などの条件を指定するための処理条件指定画面を表示するようにディスプレイ１２を制御する。ジョブ生成部１０１は、指定された内容の条件でコピーを行うためのジョブを生成し、アクティブジョブデータベースＤＢ２に登録する。そして、ジョブ実行制御部１０２は、そのジョブの実行順が来たら、ユーザが指定した条件に従って、ドキュメントフィーダ１７にセットされた原稿の画像を読み取るようにスキャナ部１３などを制御し、その画像を記録シートに印刷するようにプリンタ部１４を制御する。
【００７２】
「スキャナ」ボタンが選択されたときは、読取時の画質、濃度、原稿が両面原稿であるか否か、読み取った画像のデータをファイルに変換する際のフォーマット（ＴＩＦＦまたはＰＤＦなど）、および変換されたファイルの送信先などの条件を指定するための処理条件指定画面を表示させる。そして、上記のコピーの場合と同様に、ジョブをアクティブジョブデータベースＤＢ２に登録し、順番が来たら、ユーザが指定した条件に従って、ドキュメントフィーダ１７にセットされた原稿の画像を読み取って画像のファイルを生成するようにスキャナ部１３などを制御し、そのファイルを指定された宛先に送信するように通信部１６を制御する。
【００７３】
なお、ユーザは、クライアント端末２〜４を使用して遠隔操作によって印刷処理を画像形成装置１に実行させることができる。例えば、ユーザは、印刷したい画像のファイルをオープンしておき、印刷条件を指定してから所定のコマンドを入力する。すると、その画像の印刷用のデータが印刷条件を示す情報とともにクライアント端末２〜４から画像形成装置１に送信される。画像形成装置１において、これらのデータが受信されると、上記のコピーの場合と同様に、その印刷処理のジョブをアクティブジョブデータベースＤＢ２に登録し、順番が来たらその印刷処理をプリンタ部１４などに実行させる。
【００７４】
図１１は、図９のフローチャートのステップＳ３のボックス保存時のユーザ入力処理を示すフローチャート、図１２は図９のフローチャートのステップＳ４のモード設定時の音声入出力処理を示すフローチャート、図１３はボックス選択画面ＨＧ２の例を示す図、図１４は新規にボックス名を入力する場合のボックス名入力画面ＨＧ３の例を示す図、図１５はファイル名入力画面ＨＧ４の例を示す図である。
【００７５】
図９に戻って、ユーザが初期メニュー画面ＨＧ１の中から「コピー」ボタン、「スキャナ」ボタン、および「ＦＡＸ送信」ボタンのうちのいずれかを選択する際に、「保存」ボ夕べンをも押下した場合は（ステップＳ２でＹＥＳ）、図８のファイル保存処理部１０４は、選択されたボタンに対応する処理を実行するためのファイルを生成し、ボックスに保存するために、図１１のステップＳ１０１に進む。
【００７６】
図１１では、まずステップＳ１０１で、図１３のボックス選択画面ＨＧ２がディスプレイ１２に表示される。このボックス選択画面ＨＧ２では、保存先のボックスの選択を促しあるいは新規ボックスの作成のために「新規登録」ボタンを押すことを促すメッセージとともに、既存のボックス名、「新規登録」ボタン、「戻る」ボタン、「ＯＫ」ボタンなどが表示されている。
【００７７】
次に、ステップＳ１０２で、ボックスの新規登録か否かが判断される。ここで、ユーザは新規登録でなければ処理を行いたいボックスボタンを押下して、ボックスを選択する。ボックスボタンが押されると、画像形成装置１はステップ１０２で、新規登録でない（ステップＳ１０２でＮＯ）と判断し、ステップＳ１１０で、選択されたボックスを確定するためのボックス選択処理を行い、ステップＳ１０７に進む。
【００７８】
「新規登録」ボタンが押されると（ステップＳ１０２でＹＥＳ）、図１４のボックス名入力画面ＨＧ３が表示される（ステップＳ１０３）。この画面では、ボックス名の入力を促し、ボックスの識別のための内容（キーワード）を話してほしい旨のメッセージと共に、ボックス名入力欄、「戻る」ボタン、「ＯＫ」ボタンなどが表示されている。
【００７９】
ここで、ユーザは、操作部１１のキーを操作して自分の好きな番号を入力すると共に、必要に応じてボックスを識別するための内容を音声で入力した後、「ＯＫ」ボタンを押下すると、ステップＳ１０４で、ボックス名を確定するためのボックス名入力処理が行われる。
【００８０】
次いで、ステップＳ１０５では、図６のユーザ情報データベースで設定されている音声データ選択モードが「ジョブ登録時」か否かを判断し、「ジョブ登録時」に設定されている場合は（ステップＳ１０５でＹＥＳ）、ステップＳ１０６で、前述の音声入力されたデータを解析し、その内容を、図５のボックスデータベースにおける対応ボックスの「ＢＯＸ作成時音声データ」に登録する。
【００８１】
次いで、ステップＳ１０７で、ディスプレイ１２に図１５のファイル名入力画面ＨＧ４が表示される。このファイル名入力画面ＨＧ４には、ファイル名及びアプリケーションの入力を促すメッセージと共に、ボックス名表示欄、ファイル名入力欄、アプリケーション入力欄、「戻る」ボタン、「ＯＫ」ボタンが表示されている。アプリケーションは、ファイルを保存する時のモードを設定するものである。
【００８２】
ここで、ユーザは、保存したいファイルのファイル名を決めて入力し、アプリケーション入力欄に設定したいアプリケーション名を入力し、「OK」ボタンを押下する。ステップＳ１０８では、入力されたファイル名を受け付けるためのファイル名入力処理が行われる。そして、ステップＳ１０９で、ボックスデータベースに登録される。このようにして、保存対象であるファイルの保存場所であるボックス、およびファイル名が設定される。
【００８３】
ボックスデータベースへの登録後、図１２のモード設定時の音声入出力処理のステップＳ２０１に進むとともに、ディスプレイ１２には図１６に示すモード設定画面ＨＧ５が表示される。図１６の例では、アプリケーションがコピーである場合のモード設定画面が示されており、コピーの保存モードの選択を促す旨のメッセージと共に、「用紙」「カラーモード」「節約」「応用」等の各モード選択キー、各選択キーに対してモードを指定するためのモード指定キー（例えば用紙の１段目、２段目の指定キー、フルカラーまたはモノクロ指定キー等）が表示されている。
【００８４】
ステップＳ２０１では、図１６の設定画面における「用紙」「カラーモード」「節約」「応用」等の各モード選択キーが押されたかどうかを判断する。押された場合には（ステップＳ２０２でＹＥＳ）、音声案内（音声ガイダンスともいう）の機能が設定され、所定の音声ガイダンスが出力されたのち、ステップＳ２０３に進む。
【００８５】
例えば、「節約」キーが押されると、図１７の節約モード設定画面ＨＧ６に遷移し、“両面コピー、倍率、集約コピーを選択してくだい”等の音声ガイダンスが出力される。また「応用」キーが押されると、図１８の応用モード設定画面ＨＧ７に遷移し、“小冊子、ナンバリングを選択してくだい”等の音声ガイダンスが出力される。
【００８６】
ステップＳ２０１で、モード選択キーが押されなければ（ステップＳ２０１でＮＯ）、そのままステップＳ２０３に進む。
【００８７】
ステップＳ２０３では、モード指定キーが押されたかどうかが判断され、押された場合には（ステップＳ２０３でＹＥＳ）、ステップＳ２０４でそのモード指定キーに従ったモードを受け付ける。モード指定キーが押されなかった場合には（ステップＳ２０３でＮＯ）、ステップＳ２１１で、そのユーザについての音声データ選択モードが「ジョブ登録時」になっているかどうかが、図６のユーザ情報データベースに基づいて判断される。
【００８８】
「ジョブ登録時」になっている場合は（ステップＳ２１１でＹＥＳ）、ステップＳ２１２で音声入力が可能となると共に、入力された音声データを解析して、図５のボックスデータベースにおける対応するボックスの「ファイル作成時音声データ」の項目に保存したのち、ステップＳ２０４に進む。このようにして、ファイル作成時に、かつ案内対象の機能をユーザが指示したときに、入力された音声データが「ファイル作成時音声データ」の項目に保存される。
【００８９】
ステップＳ２１１で、そのユーザについての音声データ選択モードが「ジョブ登録時」になっていない場合は（ステップＳ２１１でＮＯ）、そのままステップＳ２０４に進む。この場合は予め設定された音声がボックスからのファイル選択時に音声出力されることになる。
【００９０】
ステップＳ２０４でモード指定が受け付けられた後、ステップＳ２０５でモード設定終了キー（ＯＫボタン）が押されたかどうかが判断され、押されなければ（ステップＳ２０５でＮＯ）、ステップＳ２０１に戻り、押されると（ステップＳ２０５でＹＥＳ）、ステップＳ２０６で、設定されたモードをボックスデータベースに登録した後、図９のステップＳ５に戻る。
【００９１】
なお、上述の図１４、図１５、図１６の各画面および後に説明する各画面の中の「戻る」ボタンが押下されたときは、初期メニュー画面ＨＧ１の画面を再表示する。そして、ユーザは、各事項に関する選択などの操作を一からやり直すことができる。
【００９２】
図９のステップＳ５では、前述したように、ファイル保存処理部１０４が、初期メニュー画面ＨＧ１で選択された処理を実行するためのファイルを生成し、これをステップＳ３で指定されたボックスに、指定されたファイル名で保存する。
【００９３】
なお、初期メニュー画面ＨＧ１の中から選択されたボタンに対応する処理を実行するためのファイルを生成してボックスに保存するだけでなく、その処理を直ちに実行するようにしてよい。または、ここではその処理は実行することなく、後でユーザから指令があったときに実行するようにしてもよい。直ちに処理を実行するか否かは、ユーザが選択できるようにすればよい。
【００９４】
また、ユーザは、クライアント端末２〜４で作成した画像を画像形成装置１で印刷するためのファイルを、自己のボックスに保存しておくことができる。この場合は、ユーザは、印刷処理のコマンドを入力する際に、初期メニュー画面ＨＧ１の「保存」ボタンに相当するオプションを選択しておく。すると、ファイル保存処理部１０４は、クライアント端末２〜４から送信されてきた印刷データ等についてのファイルを生成し、そのユーザのボックスに保存する。
【００９５】
ユーザは、画像形成装置１の使用を終えるときは、所定の操作を行って画像形成装置1からログアウトする。また、操作が全く行われていない状態が所定の時間以上続いたら、強制的にログアウトさせるようにしてもよい。
【００９６】
図１９は、図９のフローチャートにおけるステップＳ１１のボックス読み出し時の音声出力処理のサブルーチンを示すフローチャート、図２０は読み出すボックスの選択画面ＨＧ８を示す図、図２１はファイル選択画面ＨＧ９を示す図である。
【００９７】
ログインしたユーザが図１０の初期メニュー画面ＨＧ１の中から「読出」ボタンを選択すると（ステップＳ１０でＹＥＳ）、ディスプレイ１２には、図２０に示すボックス選択画面ＨＧ８が表示される。この画面では、読み出し元のボックス名の選択を促すメッセージと共に、ボックス名の一覧リスト、「戻る」ボタン及び「ＯＫ」ボタンが表示されている。
【００９８】
ステップＳ３０２では、ユーザによるボックス名の選択がなされたかどうかが判断され、選択されなければ（ステップＳ３０２でＮＯ）、選択されるまで待つ。選択されると（ステップＳ３０２でＹＥＳ）、ステップＳ３０３に進み、ボックス名に関連するユーザ音声出力が実行されるとともに、ディスプレイ１２の画面が図２１に示すファイル選択画面に遷移する。ステップＳ３０３のユーザ音声出力処理については後述する。
【００９９】
ステップＳ３０４では、ユーザによるファイル名の選択がなされたかどうかが判断され、選択されなければ（ステップＳ３０４でＮＯ）、選択されるまで待つ。選択されると（ステップＳ３０４でＹＥＳ）、ステップＳ３０５に進み、ファイル名に関連するユーザ音声出力が実行されたのち、図９のステップＳ１２にリターンする。
【０１００】
ここで、ステップＳ３０３のボックス名に関連するユーザ音声出力処理、及びステップＳ３０５のファイル名に関連するユーザ音声出力処理について説明する。
【０１０１】
この音声出力の方法として、図６に示したユーザ情報データベースの「音声データ選択モード」の設定に応じた２通りの方法がある。
【０１０２】
まず、１つ目の方法として、「音声データ選択モード」が「ユーザ登録時」に設定されている場合、ユーザ情報データベースの「ＢＯＸ選択音声データ」に登録されている音声データを読み出し、音声出力される。例えばユーザMORIKAWAのＢＯＸが選択された場合は“MORIKAWAのＢＯＸが選択されました”と音声出力される。
【０１０３】
同様にMORＩKWAのファイルが選択された場合は、ユーザ情報データベースの「ファイル選択音声データ」に登録されている音声データを読み出し、音声出力される。例えば、“MORIKWAのファイルが選択されました”と音声出力される。
【０１０４】
２つ目の方法として、「音声データ選択モード」が「ジョブ登録時」に設定されている場合には、例えばTANAKAのＢＯＸが選択された場合は、図５に記憶されている「ＢＯＸ作成時音声データ」からデータを読み出し、“11開発部の部門運営に関するＢＯＸです”を音声出力する。このように、選択されたボックスを識別する内容の音声を出力させることができ、ユーザはそのボックスの内容を確実に認識することができる。
【０１０５】
さらに、TANAKAのファイルが選択された場合には、図５に登録されている「ファイル作成時音声データ」からデータを読み出し、さらに「機能指示データ切り出しモード」が「あり」に設定されているため、登録されたデータを短縮して例えば“コピー、両面”とだけ音声出力する。つまり、そのファイルについてのジョブ内容を示す音声が、短縮された状態で出力される。
【０１０６】
もし「機能指示データ切り出しモード」が「なし」に設定されている場合は、「ファイル作成時音声データ」に登録されている全ての音声が出力される。
【０１０７】
「機能指示データ切り出しモード」は音声で指定したデータを全てもう一度確認したいユーザと、基本的なモードのみ確認できれば良いというユーザの好みに応じて、予め後述の管理者設定画面で設定される。
【０１０８】
このように、ユーザによるボックスの選択時あるいはファイルの選択時に、前記ハードディスク２３Ｈのボックスデータベースあるいはユーザ情報データベースに記憶された案内用音声データの中から、ログインしたユーザに対応する音声データが選択され、選択された案内用音声データに対応する音声が音声出力部３４から出力される。つまり、ログインしたユーザにより入力された音声で案内が行われるから、ユーザにとってわかりやすくかつ聞き取りやすい音声案内を行うことが可能となる。
【０１０９】
図９に戻って、ジョブ生成部１０１は、ステップＳ１２において、ステップＳ１１で指定されたボックス内のファイルの画像を読み出し、ステップＳ６で、出力するジョブを生成し、図７のアクティブジョブデータベースＤＢ２に登録する。そして、そのジョブを実行する順番が来たら、ジョブ実行制御部１０２は、ステップＳ１１で指定されたファイルを読み出し、ジョブ種別に応じた（コピー、スキャン送信等）を実行するように、プリンタ部１４および通信部１６などを制御する。
【０１１０】
図２２はユーザ毎のデータを登録するための管理者モード設定画面ＨＧ１０の一例である。この画面では、登録したいユーザ名とパスワードを入力するものとなされている。登録されたパスワードはユーザ情報データベースに登録される。
【０１１１】
図２３はユーザ毎のデータを登録するための管理者モード設定画面ＨＧ１１の一例である。この画面では、前記管理者モード設定画面ＨＧ１０で指定されユーザに対して、「音声データ選択モード」を「ユーザ登録時」とするか「ジョブ登録時」とするかを設定でき、「機能指示データ切り出しモード」の有無を設定できるものとなされている。設定された内容は、ユーザ情報データベースに登録される。
【０１１２】
図２４はユーザ毎の音声データを登録するための管理者モード設定画面ＨＧ１２の一例である。この画面では、図２２の管理者モード設定画面ＨＧ１０で指定されたユーザに対して、「ユーザ登録音声データ」、「ＢＯＸ選択時音声データ」、「ファイル選択音声データ」を音声入力部３１から入力できるものとなされている。入力された音声データはユーザ情報データベースに登録される。
【０１１３】
「ユーザ登録音声データ」の入力時には、図３に示す音声情報特徴抽出部３２が動作し、音声入力時に音響的特長（音質）と韻律的特長（音の長さ、高さ、強さ）を抽出してデータベースに同時に登録する。
【０１１４】
従って、「ユーザ登録音声データ」が登録されている場合に次のような処理を行わせることも可能である。即ち、例えばユーザMORIKAWAがログインして、００２のＢＯＸを選択した場合に、このＢＯＸ作成者はTANAKAであるが、この場合にMORIKAWAの音声データ登録モードはユーザ登録となっているため、図５の００２のＢＯＸの「ＢＯＸ作成時データ」に登録されている“１１開発部の部門運営に関するＢＯＸです”という音声出力を、MORIKAWAのユーザ登録音声データに基づいて、声の質をMORIKAWAに変更して音声出力することもできる。
【０１１５】
具体的には、音声出力時に図３の音声情報合成部３３が動作して、MORIKAWAのＢＯＸデータベースからユーザ音声登録時に抽出された音響的特長と韻律的特長を取り出して、TANAKAの音声データに合成して出力することにより実現できる。
【０１１６】
こうすることにより、ＭＦＰの使用者は常時自分の音声で登録内容を確認することができるので、ＭＦＰの使い勝手が向上する。
【０１１７】
さらに、この場合一度登録した「ユーザ登録音声データ」に基づいて、MORIKAWAに変更して音声出力されたデータが聞き取りにくい時は、再度管理者モード設定画面により、「ユーザ登録音声データ」を登録し直すことにより、自分のより気に入った音声を聞くようにできる。
【０１１８】
なお、画像形成装置１には、ディスプレイ１２に表示する各画面と同等の画面の画面データを、クライアント端末２〜４に送信するためのプログラム、およびこれらの画面に入力された情報をクライアント端末２〜４から受信するためのプログラムがインストールされている。これにより、ユーザは、自分のクライアント端末２〜４から、遠隔操作によって、ボックスに保存されているファイルを読み出して、所望する処理を画像形成装置1に実行させることができる。
【０１１９】
以上、本発明の一実施形態を説明したが、本発明は上記実施形態に限定されることはない。例えば、ボックスやファイルを選択したときに、ログインユーザに応じた音声案内が行われる場合を示したが、音声案内はボックスやファイルを選択したときに限定されることはない。例えば、ジョブの開始時に音声データを入力しておいて、ジョブ確認キーを押したときに、入力された音声データが出力される構成としても良いし、他の操作時にログインユーザに応じた音声案内が行われる構成としても良い。
【図面の簡単な説明】
【０１２０】
【図１】ファイル共用システムの全体的な構成例を示す図である。
【図２】本発明の一実施形態に係る画像形成装置の外観斜視図である。
【図３】本発明の一実施形態に係る画像形成装置の電気的構成を示すブロック図である。
【図４】ハードディスクに設けられたボックスなどの例を示す図である。
【図５】ボックスデータベースの構成例を示す図である。
【図６】ユーザ情報データベースの例を示す図である。
【図７】アクティブジョブデータベースの例を示す図である。
【図８】画像形成装置の機能的構成の例を示す図である。
【図９】画像形成装置の全体的な処理を説明するフローチャートである。
【図１０】初期メニュー画面の例を示す図である。
【図１１】ボックス保存ユーザ入力処理を説明するためのフローチャートである。
【図１２】モード設定ユーザ入力処理音声入出力処理を説明するためのフローチャートである。
【図１３】ボックス選択画面を示す図である。
【図１４】ボックス名入力画面を示す図である。
【図１５】ファイル名入力画面を示す図である。
【図１６】アプリケーションとしてコピーモードを設定した場合の基本画面の一例を示す図である。
【図１７】コピーモードにおける節約設定モードの入力画面を示す図である。
【図１８】コピーモードにおける応用設定モードの入力画面を示す図である。
【図１９】ボックス読み出しユーザ入力音声出力処理を説明するためのフローチャートである。
【図２０】ボックス読み出し時のボックス選択画面を示す図である。
【図２１】ファイル選択画面を示す図である。
【図２２】管理者モード設定画面を示す図である。
【図２３】管理者モード設定画面の別の例を示す図である。
【図２４】管理者モード設定画面のさらに別の例を示す図である。
【符号の説明】
【０１２１】
１        画像形成装置
２〜４  クライアント端末
５、６ＦＡＸ端末装置
７        ネットワーク
１１      操作部
１２      ディスプレイ
１３      スキャナ部
１４      プリンタ部
１６      通信部
２０      ＣＰＵ
２１      ＲＡＭ
２２      ＲＯＭ
２３      データ記憶部
２３Ｈ    ハードディスク
３１      音声入力部
３２      音声情報特徴抽出部
３３      音声情報合成部
３４      音声出力部
１０１    ジョブ生成部
１０２    ジョブ実行制御部
１０３    ユーザ情報制御部
１０４    ファイル保存処理部
【図１】
2009194577.tif 000003
【図２】
2009194577.tif 000004
【図３】
2009194577.tif 000005
【図４】
2009194577.tif 000006
【図５】
2009194577.tif 000007
【図６】
2009194577.tif 000008
【図７】
2009194577.tif 000009
【図８】
2009194577.tif 000010
【図９】
2009194577.tif 000011
【図１０】
2009194577.tif 000012
【図１１】
2009194577.tif 000013
【図１２】
2009194577.tif 000014
【図１３】
2009194577.tif 000015
【図１４】
2009194577.tif 000016
【図１５】
2009194577.tif 000017
【図１６】
2009194577.tif 000018
【図１７】
2009194577.tif 000019
【図１８】
2009194577.tif 000020
【図１９】
2009194577.tif 000021
【図２０】
2009194577.tif 000022
【図２１】
2009194577.tif 000023
【図２２】
2009194577.tif 000024
【図２３】
2009194577.tif 000025
【図２４】
2009194577.tif 000026